(57)【要約】【課題】ユーザーが意図しない形でコンソールが次に行われる撮影として特定している撮影オーダー情報を別の撮影オーダー情報に遷移させてしまうことを防止し、生成された放射線画像と撮影オーダー情報とを正しく対応付けることが可能な放射線画像撮影システムを提供する。【解決手段】放射線画像撮影システム５０は、ユーザーの操作により信号を送信する複数の放射線画像撮影装置１と、撮影に使用する放射線画像撮影装置１の情報を含む複数の撮影オーダー情報を登録し、または入手可能なコンソール５８とを備え、コンソール５８は、一の放射線画像撮影装置１から前記信号を受信すると、次に行われる撮影として特定している撮影オーダー情報を他の撮影オーダー情報に遷移させずに、当該特定している撮影オーダー情報における放射線画像撮影装置に関する情報の指定を当該一の放射線画像撮影装置１に関する情報に変更する。【選択図】図１
2015136512.tif 000002
【特許請求の範囲】
【請求項１】
被写体に放射線を照射する放射線源と、
二次元状に配列された複数の放射線検出素子を備え、放射線の照射により前記各放射線検出素子内で発生した電荷を画像データとして読み出すとともに、ユーザーの操作により信号を送信する複数の放射線画像撮影装置と、
前記複数の放射線画像撮影装置のうちのいずれの放射線画像撮影装置を用いて撮影を行うかの情報を含む複数の撮影オーダー情報を登録し、または、登録された前記複数の撮影オーダー情報を入手することが可能なコンソールと、
を備え、
前記コンソールは、一の前記放射線画像撮影装置から前記信号を受信すると、次に行われる撮影として特定している前記撮影オーダー情報を他の前記撮影オーダー情報に遷移させずに、当該特定している撮影オーダー情報における前記放射線画像撮影装置に関する情報の指定を、当該一の放射線画像撮影装置に関する情報に変更することを特徴とする放射線画像撮影システム。
【請求項２】
前記コンソールは、前記次に行われる撮影として特定している前記撮影オーダー情報における前記放射線画像撮影装置に関する情報の指定を当該一の放射線画像撮影装置に関する情報に変更すると同時に、撮影未了の前記撮影オーダー情報のうち、変更前の前記放射線画像撮影装置に関する情報が指定されている他の前記撮影オーダー情報についても前記放射線画像撮影装置に関する情報の指定を当該一の放射線画像撮影装置に関する情報に変更することを特徴とする請求項１に記載の放射線画像撮影システム。
【請求項３】
前記コンソールは、
前記次に行われる撮影として特定している前記撮影オーダー情報における前記放射線画像撮影装置に関する情報の指定を当該一の放射線画像撮影装置に関する情報に変更するとともに、撮影未了の前記撮影オーダー情報の中に、変更前の前記放射線画像撮影装置に関する情報が指定されている他の前記撮影オーダー情報が存在する場合には、当該他の撮影オーダー情報が存在することを報知手段に報知させ、
報知後に、ユーザーにより所定の操作が行われた場合、または、ユーザーにより所定時間内に所定の取り消し操作が行われなかった場合に、当該他の撮影オーダー情報における前記放射線画像撮影装置に関する情報の指定を、当該一の放射線画像撮影装置に関する情報に変更することを特徴とする請求項１に記載の放射線画像撮影システム。
【請求項４】
前記放射線画像撮影装置は、ユーザーにより前記操作とは異なる仕方の第２の操作があった場合には、前記信号とは異なる第２信号を送信し、
前記コンソールは、一の前記放射線画像撮影装置から前記第２信号を受信すると、次に行われる撮影として特定する前記撮影オーダー情報を、撮影未了の前記撮影オーダー情報のうち当該一の放射線画像撮影装置に関する情報が指定されている前記撮影オーダー情報に変更することを特徴とする請求項１から請求項３のいずれか一項に記載の放射線画像撮影システム。
【請求項５】
前記放射線画像撮影装置は、ユーザーにより前記操作とは異なる仕方の第２の操作があった場合には、前記信号とは異なる第２信号を送信し、
前記コンソールは、
一の前記放射線画像撮影装置から前記第２信号を受信すると、次に行われる撮影として特定する前記撮影オーダー情報を、撮影未了の前記撮影オーダー情報のうち当該一の放射線画像撮影装置に関する情報が指定されている前記撮影オーダー情報に変更する旨を報知手段に報知させ、
報知後に、ユーザーにより所定の操作が行われた場合、または、ユーザーにより所定時間内に所定の取り消し操作が行われなかった場合に、前記変更を行うことを特徴とする請求項１から請求項３のいずれか一項に記載の放射線画像撮影システム。
【請求項６】
前記報知手段は、ユーザーが携帯する携帯端末であり、
前記携帯端末は、ユーザーによる前記所定の操作または前記所定の取り消し操作が当該携帯端末に対して行われると、前記所定の操作が行われた旨の信号または前記所定の取り消し操作が行われた旨の信号を前記コンソールに送信し、
前記コンソールは、前記携帯端末から前記所定の操作が行われた旨の信号を受信するとユーザーにより前記所定の操作が行われたと判断し、または、前記携帯端末から所定時間内に前記所定の取り消し操作が行われた旨の信号を受信するとユーザーにより所定時間内に前記所定の取り消し操作が行われたと判断することを特徴とする請求項３または請求項５に記載の放射線画像撮影システム。
【発明の詳細な説明】
【技術分野】
【０００１】
本発明は、放射線画像撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）装置が開発され、最近では、照射された放射線を放射線検出素子で検出してデジタルの画像データとして取得する放射線画像撮影装置が開発されている。
【０００３】
このタイプの放射線画像撮影装置はＦＰＤ（Flat Panel Detector）として知られており、従来は、支持台等と一体的に形成された、いわゆる専用機（固定型等ともいう。）として開発されたが、近年、放射線検出素子等をハウジングに収納して可搬とした可搬型（カセッテ型等ともいう。）の放射線画像撮影装置が開発され、実用化されている。
【０００４】
ところで、このような専用機型や可搬型の放射線画像撮影装置を用いて、病院等の施設で被写体である患者の身体を撮影する場合、施設の撮影室内に専用機型の放射線画像撮影装置を設置し、或いは可搬型の放射線画像撮影装置を持ち込み、撮影室外に設置されたコンソールで放射線画像撮影装置や放射線発生装置等を制御して撮影を行うような放射線画像撮影システムが構築される場合がある。
【０００５】
このような放射線画像撮影システムでは、通常、例えば後述する図７に示すような撮影オーダー情報に基づいて撮影が行われるように構築される。撮影オーダー情報は、患者に対する問診等に基づいて決定された撮影に関する情報や指令等が指定されたものであり、例えば、患者ＩＤ等の患者情報や、撮影する患者の身体の部位（すなわち撮影部位）や撮影方向、使用する装置を指定する装置情報、撮影に使用する放射線画像撮影装置（ＦＰＤ）のサイズ等の撮影条件等の各項目を指定して登録されるようになっている。なお、撮影オーダー情報の構成等については後で説明する。
【０００６】
そして、コンソールで、例えばその日に行われる撮影に関する撮影オーダー情報が入手されたり選択されたりして管理されるとともに、撮影後、放射線画像撮影装置から送信されてきた画像データ等に基づいて生成された放射線画像（診断提供用画像等ともいう。）が放射線技師等の操作者により承認されると、放射線画像が撮影オーダー情報に対応付けられて確定処理が行われる。
【０００７】
このように、いわば撮影オーダー情報を中心として撮影が行われるため、近年、例えば後述する図９に示すように、コンソールの画面上に、例えばこれから行う撮影に関する各撮影オーダー情報に対応する各アイコンＩ１〜Ｉ４等を表示し、放射線技師等の操作者がコンソール上でのアイコン操作等によって撮影を容易かつ的確に行うことができるように構成された放射線画像撮影システムが開発されている（例えば特許文献１参照）。
【０００８】
そして、特に特許文献１には、コンソールが、撮影室内に存在する専用機型や可搬型の放射線画像撮影装置や放射線発生装置の放射線源等の現在の状況、すなわちどの放射線画像撮影装置が起動しており、放射線源の向きがどの方向を向いているか等に基づいて、例えばその現状からの変更の程度が最も少ない状態で撮影を行うことができる撮影条件が指定された撮影オーダー情報を選び出す。そして、その撮影オーダー情報に対応するアイコンを特定の色で表示したり、或いは後述する図９に示すようにアイコンを特定の色の枠線で囲って目立つように表示する等して、他のアイコンとは異なる態様で表示する（以下、フォーカス表示という。）。そして、一の撮影が終了するごとに上記の処理を繰り返して、撮影が終了するごとにフォーカス表示を自動的に遷移させていくような放射線画像撮影システムが開示されている。
【０００９】
そして、この放射線画像撮影システムによれば、放射線技師等の操作者がフォーカス表示の遷移に従って撮影を行っていくことで、撮影を効率的に進めることが可能となり、放射線画像撮影システムが、操作者にとって使い勝手が良いものとなる。なお、このような放射線画像撮影システムについては詳しくは特許文献１を参照されたい。
【００１０】
また、特許文献１に記載された放射線画像撮影システムでは、放射線技師等の操作者が、上記のようにコンソールが自動的に判断してフォーカス表示したアイコンに対応する撮影以外の撮影を行うために、例えばフォーカス表示されたアイコン以外の別のアイコンをクリックする等した場合には、操作者の意思を優先して、操作者がクリックする等したアイコンにフォーカス表示を遷移させ、それに対応する撮影オーダー情報に関する撮影を行うようにコンソールが放射線発生装置等を制御するように構成されている。
【００１１】
また、上記のようなコンソール上での操作以外にも、例えば、放射線技師等の操作者が撮影室内でいずれかの放射線画像撮影装置の電源スイッチや選択スイッチ（後述する図２の３７、３８参照）を押下する等した場合であって、当該放射線画像撮影装置が、フォーカス表示されたアイコンに対応する撮影オーダー情報で指定されている放射線画像撮影装置とは異なる放射線画像撮影装置である場合には、コンソールは、操作者の意思を優先し、電源スイッチや選択スイッチが押下される等した放射線画像撮影装置がこれから行われる撮影に使用される放射線画像撮影装置であると判断して、フォーカス表示を、当該放射線画像撮影装置が指定されている撮影オーダー情報に対応するアイコンに遷移させるように構成されている。
【００１２】
このように構成することで、放射線技師等の操作者の意思を優先し、それに従ってフォーカス表示するアイコン（すなわちそのアイコンに対応する撮影オーダー情報）を的確に変更することが可能とされている点でも、放射線画像撮影システムが、操作者にとって使い勝手が良いものとなっている。
【先行技術文献】
【特許文献】
【００１３】
【特許文献１】国際公開第２０１１／１４２１５７号パンフレット
【発明の概要】
【発明が解決しようとする課題】
【００１４】
ところで、このような放射線画像撮影システムで複数の撮影を行う場合、撮影で得られた画像データから生成された放射線画像が、当該撮影に関する撮影オーダー情報に確実に対応付けられることが必要になる。すなわち、ある撮影が行われて放射線画像が生成されたにもかかわらず、その放射線画像が、その撮影に関する撮影オーダー情報とは別の撮影オーダー情報に対応付けられてしまうことがないように構成されることが必要になる。
【００１５】
しかし、上記の特許文献１に記載の放射線画像撮影システムでは、以下のような問題が生じる可能性があることが分かってきた。すなわち、例えば後述する図９に示すように、コンソールの画面上に、選択された各撮影オーダー情報（後述する図７参照）に対応する各アイコンＩ１〜Ｉ４が表示された状態で、放射線技師等の操作者が撮影室に移動し、患者の脛部の撮影（すなわち図９におけるアイコンＩ３に対応する撮影）を行うために、例えばサイズが１０×１２インチの放射線画像撮影装置の電源スイッチや選択スイッチを押下すると、放射線画像撮影装置からコンソールに、自らの識別情報である「ＦＰＤ−００２」のＩＤが送信される。
【００１６】
そして、コンソールは、この情報を受信すると、「ＦＰＤ−００２」の放射線画像撮影装置のサイズが１０×１２インチであることから、放射線技師等の操作者が、フォーカス表示されているアイコンＩ３の撮影（１１×１４インチの放射線画像撮影装置を用いた撮影）を行うのではなく、１０×１２インチの放射線画像撮影装置を用いるアイコンＩ４の撮影を行うことを選択したと判断し、操作者の意思を優先させるためにフォーカス表示をアイコンＩ４に遷移させてしまう。
【００１７】
つまり、放射線技師等の操作者は、１０×１２インチの放射線画像撮影装置を用いて患者の「脛部」を撮影するアイコンＩ３に対応する撮影を行おうとしているにもかかわらず、コンソールは、患者の「上腕部」を撮影するアイコンＩ４に対応する撮影が行われるものと判断して、アイコンＩ４にフォーカス表示を遷移させてしまう。そして、操作者がそれに気付かないまま患者の脛部に放射線画像撮影装置をあてがう等して撮影を行ってしまうと、コンソールは、放射線画像撮影装置から送信されてきた画像データ等に基づいて放射線画像を生成するが、その「脛部」の放射線画像を、アイコンＩ４に対応する撮影オーダー情報、すなわち患者の「上腕部」を撮影することを指定する撮影オーダー情報に対応付けてしまうことになる。
【００１８】
このように、ある撮影が行われて生成された放射線画像が、その撮影に関する撮影オーダー情報（上記の例ではアイコンＩ３に対応する撮影オーダー情報）とは別の撮影オーダー情報（上記の例ではアイコンＩ４に対応する撮影オーダー情報）に対応付けられてしまう可能性があることが分かってきた。そして、上記の状況は、必ずしも特異な状況ではなく、通常の撮影動作の中でも十分に起こり得る状況である。
【００１９】
すなわち、例えば、放射線技師等の操作者が、アイコンＩ３に対応する撮影オーダー情報で、使用する放射線画像撮影装置のサイズとして１１×１４インチが指定されており、アイコンＩ３上にも「１１×１４」と表示されているにもかかわらず、勘違いして１０×１２インチの放射線画像撮影装置を使用してしまうような場合に、上記の状況が生じ得る。
【００２０】
また、例えば、予め撮影オーダー情報を作成する段階で、患者の「脛部」の撮影に１０×１２インチの放射線画像撮影装置を用いるつもりであったのに、撮影オーダー情報に誤って放射線画像撮影装置のサイズを１１×１４インチと登録してしまい、操作者が、アイコンＩ３上に「１１×１４」と誤った表示がなされていることに気付かずに１０×１２インチの放射線画像撮影装置を使用してしまうような場合にも、上記の状況が生じ得る。
【００２１】
また、例えば、操作者はアイコンＩ３に対応する撮影オーダー情報で１１×１４インチの放射線画像撮影装置を使用することが指定されていることを認識しているが、実際にその放射線画像撮影装置を使用する時点で１１×１４インチでは大き過ぎると判断したり、或いは、１１×１４インチの放射線画像撮影装置がバッテリー切れを起こしていて例えば１０×１２インチの放射線画像撮影装置を使わざるを得ない等の場合にも、上記の状況が生じ得る。また、撮影室内に装備されていた集光グリッドのサイズが、当初使用予定していた放射線画像撮影装置のサイズとはミスマッチであり、放射線画像撮影装置に対する集光グリッドのポジショニングが困難であるような場合にも、当該集光グリッドのサイズに適合するサイズの放射線画像撮影装置を変更することが生じ得る。
【００２２】
さらに、例えば、放射線技師等の操作者が放射線画像撮影装置のシンチレーター種を変更したい場合に、シンチレーター種がＣｓＩの柱状結晶型の放射線画像撮影装置（サイズは１１×１４インチ）からシンチレーター種がＧＯＳ（Ｇｄ２Ｏ２Ｓ）の層状型の放射線画像撮影装置（サイズは１０×１２インチ）に変更するような場合にも、上記の状況が生じ得る。
【００２３】
上記のように、放射線技師等の操作者が、通常の撮影動作の中で、例えば撮影に用いられる放射線画像撮影装置を別の放射線画像撮影装置に変更することは、ごく普通に行われることである。しかし、このように使用する放射線画像撮影装置を変更することで、上記のように、ある撮影（上記の例ではアイコンＩ３に対応する撮影）が行われて、コンソールで放射線画像が生成されたにもかかわらず、その放射線画像が、その撮影に関する撮影オーダー情報とは別の撮影オーダー情報（上記の例ではアイコンＩ４に対応する撮影オーダー情報）に誤って対応付けられてしまうことは回避されなければならない。
【００２４】
そして、このような誤りが生じるのは、アイコンのフォーカス表示の遷移が、放射線技師等の操作者が知らない間に操作者が意図しない形で起きてしまうことに起因している。すなわち、コンソールが、次に行われる撮影として特定している撮影オーダー情報を、放射線技師等の操作者が知らない間に別の撮影オーダー情報に遷移させてしまうことに起因している。
【００２５】
本発明は、上記の点を鑑みてなされたものであり、放射線技師等の操作者（ユーザー）が意図しない形でコンソールが次に行われる撮影として特定している撮影オーダー情報を別の撮影オーダー情報に遷移させてしまうことを防止し、生成された放射線画像と撮影オーダー情報とを正しく対応付けることが可能な放射線画像撮影システムを提供することを目的とする。
【課題を解決するための手段】
【００２６】
前記の問題を解決するために、本発明の放射線画像撮影システムは、
被写体に放射線を照射する放射線源と、
二次元状に配列された複数の放射線検出素子を備え、放射線の照射により前記各放射線検出素子内で発生した電荷を画像データとして読み出すとともに、ユーザーの操作により信号を送信する複数の放射線画像撮影装置と、
前記複数の放射線画像撮影装置のうちのいずれの放射線画像撮影装置を用いて撮影を行うかの情報を含む複数の撮影オーダー情報を登録し、または、登録された前記複数の撮影オーダー情報を入手することが可能なコンソールと、
を備え、
前記コンソールは、一の前記放射線画像撮影装置から前記信号を受信すると、次に行われる撮影として特定している前記撮影オーダー情報を他の前記撮影オーダー情報に遷移させずに、当該特定している撮影オーダー情報における前記放射線画像撮影装置に関する情報の指定を、当該一の放射線画像撮影装置に関する情報に変更することを特徴とする。
【発明の効果】
【００２７】
本発明のような方式の放射線画像撮影システムによれば、放射線技師等の操作者は、放射線画像撮影装置に対して操作を行うことにより、コンソールは、次に行われる撮影として特定している撮影オーダー情報を他の撮影オーダー情報に遷移させることなく（例えばアイコンのフォーカス表示を遷移させることなく）、当該放射線画像撮影装置を用いる撮影に対応する撮影オーダー情報における放射線画像撮影装置に関する情報の指定を、当該放射線画像撮影装置に関する情報に的確に変更することが可能となる。そのため、コンソール上で操作者が意図しないアイコンのフォーカス表示の遷移が生じることを的確に防止することが可能となる。
【００２８】
そして、放射線画像撮影装置では、コンソールが次に行われる撮影として特定している撮影オーダー情報に基づく撮影が行われ、コンソールは放射線画像撮影装置から送信されてきた画像データに基づいて放射線画像を生成して、生成した放射線画像を当該撮影オーダー情報に的確に対応付けることが可能となる。そのため、本発明のような方式の放射線画像撮影システムのように構成することで、生成された放射線画像と撮影オーダー情報とを正しく対応付けることが可能となる。
【図面の簡単な説明】
【００２９】
【図１】本実施形態に係る放射線画像撮影システムの全体構成を示す図である。
【図２】放射線画像撮影装置の外観斜視図である。
【図３】図２におけるＸ−Ｘ線に沿う断面図である。
【図４】放射線画像撮影装置のセンサー基板の構成を示す平面図である。
【図５】カセッテ保持部の内部にコネクターが設けられたブッキー装置を説明する図である。
【図６】放射線画像撮影装置がクレードルに挿入され、コネクター同士が接続された状態を表す断面図である。
【図７】撮影オーダー情報の構成例を表す図である。
【図８】撮影オーダー情報を表示する選択画面の一例を表す図である。
【図９】各撮影オーダー情報に対応する各アイコン等を表示する画面の一例を表す図である。
【図１０】図８の状態から「ＦＰＤサイズ」が変更された撮影オーダー情報を表す図である。
【図１１】図９の状態からアイコンのフォーカス表示が遷移されず、アイコンＩ３内の表示が変更された状態を表す図である。
【図１２】アイコンＩ３、Ｉ４に対応する各撮影オーダー情報で同じサイズの放射線画像撮影装置が指定されている場合のアイコン等の表示例を表す図である。
【図１３】構成例５では図９の状態からアイコンのフォーカス表示を遷移させることを説明する図である。
【発明を実施するための形態】
【００３０】
以下、本発明に係る放射線画像撮影システムの実施の形態について、図面を参照して説明する。
【００３１】
なお、以下では、放射線画像撮影システムで用いられる放射線画像撮影装置として、シンチレーター等を備え、照射された放射線を可視光等の他の波長の光に変換して電気信号を得るいわゆる間接型の放射線画像撮影装置について説明するが、本発明は、シンチレーター等を介さずに放射線を放射線検出素子で直接検出する、いわゆる直接型の放射線画像撮影装置に対しても適用することができる。また、放射線画像撮影装置が可搬型である場合について説明するが、前述した専用機型の放射線画像撮影装置に対しても、本発明を適用することが可能である。さらに、本発明は、以下の図示例のものに限定されるものではない。
【００３２】
［放射線画像撮影システムの構成等について］
図１は、本実施形態に係る放射線画像撮影システムの基本構成を示す図である。なお、図１では、撮影室Ｒａとコンソール５８とが１：１に対応付けられている場合が示されているが、本発明は、図示を省略するが、例えば複数の撮影室Ｒａと単数または複数のコンソール５８とがネットワーク等を介して接続されているような放射線画像撮影システムに対しても適用される。例えば、１人の放射線技師等が、一のコンソール上で複数の撮影オーダー情報を選択し、当該複数の撮影オーダー情報に係る撮影を、複数の撮影室を使用して順次撮影を行うような場合にも適用される。
【００３３】
撮影室Ｒａは、患者の身体の一部である被写体（すなわち患者の撮影部位）に放射線を照射して撮影を行う部屋であり、被写体に放射線を照射するための放射線発生装置５７の放射線源５２等が配置されている。なお、撮影室Ｒａは、放射線が室外に漏洩しないように鉛等でシールドされている。
【００３４】
［放射線画像撮影装置について］
ここで、放射線画像撮影システム５０で放射線画像撮影に用いられる放射線画像撮影装置１について説明する。図２は、放射線画像撮影装置の外観斜視図であり、図３は、図２のＸ−Ｘ線に沿う断面図である。なお、図２や図３等においては、各部の相対的な大きさ等は、実際の相対的な大きさ等が必ずしも反映されていない。
【００３５】
放射線画像撮影装置１は、図２や図３に示すように、放射線入射面Ｒを有する筐体２内にシンチレーター３やセンサー基板４等で構成されるセンサーパネルＳＰが収納されて構成されている。そして、筐体２の一方側の蓋部材２Ｂには、電源スイッチ３７や選択スイッチ３８、コネクター３９、バッテリー状態や放射線画像撮影装置１の稼働状態等を表示するＬＥＤ等で構成されたインジケーター４０等が配置されている。また、筐体２の反対側の蓋部材２Ｃ等に、画像データＤ等を後述するコンソール５８（図１参照）に無線で送信するための通信手段であるアンテナ装置４１（後述する図５参照）が埋め込まれる等して配設されている。なお、コネクター３９に図示しないケーブルを取り付ける等して画像データＤ等をコンソール５８に有線方式で送信するように構成することも可能である。
【００３６】
図３に示すように、筐体２内には、基台３１が配置されており、基台３１の放射線入射面Ｒ側（以下、簡単に図中の上下方向にあわせて上面側等という。）に図示しない鉛の薄板等を介してセンサー基板４が設けられている。そして、センサー基板４の上面側に、照射された放射線を可視光等の光に変換するシンチレーター３が配置されるようにシンチレーター基板３４が設けられている。また、基台３１の下面側には、電子部品３２等が配設されたＰＣＢ基板３３やバッテリー２４等が取り付けられている。このようにして、基台３１やセンサー基板４等でセンサーパネルＳＰが形成されている。また、本実施形態では、センサーパネルＳＰと筐体２の側面との間に緩衝材３５が設けられている。
【００３７】
図４に示すように、センサー基板４のシンチレーター３に対向する側の面４ａ上には、複数の走査線５と複数の信号線６とが互いに交差するように配設されている。また、センサー基板４の面４ａ上の複数の走査線５と複数の信号線６により区画された各小領域ｒには、放射線検出素子７がそれぞれ設けられている。このように、各放射線検出素子７はセンサー基板４上に二次元状に配列されている。本実施形態では、放射線検出素子７としてフォトダイオードが用いられているが、例えばフォトトランジスタ等を用いることも可能である。
【００３８】
各放射線検出素子７は、スイッチ素子である薄膜トランジスター（Thin Film Transistor。以下、ＴＦＴという。）８を介して信号線６に接続されており、信号線６は、図示しない読み出し回路にそれぞれ接続されている。そして、放射線検出素子７は、照射された放射線（本実施形態の場合は、照射された放射線がシンチレーター３で変換された可視光）の量に応じてその内部で電荷を発生させるようになっており、画像データＤの読み出し処理では、ＴＦＴ８がオンされると、放射線検出素子７から電荷がＴＦＴ８や信号線６を介して読み出し回路に流れ込み、読み出し回路で画像データＤに変換されるようになっている。本実施形態では、このようにして、放射線の照射により各放射線検出素子７内で発生した電荷が画像データＤとして読み出されるようになっている。
【００３９】
なお、本実施形態では、各放射線検出素子７が二次元状に配列された領域Ｐ（すなわち図４の１点鎖線内の領域Ｐ）が検出部とされている。また、各放射線検出素子７にはバイアス線９が接続されており、各バイアス線９は結線１０に接続されている。そして、図示しないバイアス電源からバイアス線９や結線１０を介して各放射線検出素子７に逆バイアス電圧が印加されるようになっている。また、走査線５や信号線６、バイアス線９の結線１０等はそれぞれ入出力端子１１に接続されており、入出力端子１１を介して前述した読み出し回路や電子部品３２等に接続されるようになっている。
【００４０】
本実施形態では、放射線画像撮影装置１は、上記のようにして各放射線検出素子７から画像データＤを読み出すと、今度は放射線が照射されない状態で同様にしてオフセットデータＯの読み出し処理を行い、読み出した画像データＤとオフセットデータＯ等を無線や有線でコンソール５８に送信するようになっている。なお、読み出した画像データＤの一部をプレビュー画像用データＤｐとして抽出して、画像データＤ等の送信に先立ってプレビュー画像用データＤｐをコンソール５８に送信するように構成される場合もある。
【００４１】
［放射線画像撮影システムにおける他の装置等について］
次に、放射線画像撮影システム５０における各装置等について説明する。図１に示すように、ブッキー装置５１は、本実施形態では、カセッテ保持部（カセッテホルダーともいう。）５１ａに可搬型の放射線画像撮影装置１を装填して用いることができるようになっている。本実施形態では、図１に示すように、撮影室Ｒａには、ブッキー装置５１として立位撮影用のブッキー装置５１Ａと臥位撮影用のブッキー装置５１Ｂが設置されているが、本発明は、このように立位撮影用と臥位撮影用のブッキー装置５１Ａ、５１Ｂがともに設けられている場合に限定されない。
【００４２】
図５に示すように、例えばブッキー装置５１のカセッテ保持部５１ａの内部に、装填された放射線画像撮影装置１のコネクター３９（図２参照）と接続されるコネクター５１ｂを設けておくことが可能である。なお、図５では、立位撮影用のブッキー装置５１Ａの場合が示されているが、臥位撮影用のブッキー装置５１Ｂにおいても同様である。
【００４３】
また、ブッキー装置５１のカセッテ保持部５１ａの内部にコネクター５１ｂを設ける代わりに、図示を省略するが、放射線画像撮影装置１をブッキー装置５１に装填する前に、ブッキー装置５１から延びるケーブルのコネクターを放射線画像撮影装置１のコネクター３９に接続し、その状態で放射線画像撮影装置１をブッキー装置５１のカセッテ保持部５１ａに装填するように構成することも可能である。そして、この場合に、例えばケーブルを介して外部電源から放射線画像撮影装置１に電力を供給し、放射線画像撮影装置１のバッテリー２４は使わないようにすることで、集団検診時等のように胸部正面等の撮影を連続的に行う際に、バッテリー切れを気にすることなく撮影を継続して行うことが可能となる。
【００４４】
また、本実施形態では、ブッキー装置５１は、コネクター５１ｂと放射線画像撮影装置１のコネクター３９とが接続されると、放射線画像撮影装置１からその識別情報であるカセッテＩＤを読み出し、放射線画像撮影装置１のカセッテＩＤと自らの識別情報であるブッキーＩＤとを対応付けて、コンソール５８に送信するようになっている。
【００４５】
一方、図１に示すように、撮影室Ｒａには、被写体に放射線を照射する放射線発生装置５７の放射線源５２が少なくとも１つ設けられている。本実施形態では、放射線源５２のうち、１つの放射線源５２Ａは、例えば撮影室Ｒａの天井からつり下げられて配置されるようになっており、撮影時にはコンソール５８からの指示に基づいて起動され、図示しない移動手段により所定の位置にまで移動されるようになっている。そして、放射線源５２の放射線の照射方向や位置等を変えることで、１つの放射線源５２から立位撮影用のブッキー装置５１Ａや臥位撮影用のブッキー装置５１Ｂに装填された放射線画像撮影装置１に対して放射線を照射することができるようになっている。なお、立位撮影用のブッキー装置５１Ａや臥位撮影用のブッキー装置５１Ｂに、それぞれ対応する放射線源５２を設けるように構成することも可能である。
【００４６】
また、図１に示すように、撮影室Ｒａ内にポータブルの放射線源５２Ｂを持ち込んで撮影を行うように構成することも可能である。そして、放射線画像撮影装置１を、ブッキー装置５１に装填しないいわゆる単独の状態で被写体である患者の身体の部分にあてがう等した状態で、ポータブルの放射線源５２Ｂから放射線を照射して撮影を行うことができるようになっている。
【００４７】
図１に示すように、撮影室Ｒａ内には、放射線画像撮影装置１等の撮影室Ｒａ内の装置とコンソール５８等の撮影室Ｒａ外の装置とが無線方式や有線方式で通信する際にこれらの通信を中継するアクセスポイント５３を備えた中継器（基地局等ともいう。）５４が設けられている。そして、中継器５４には、放射線画像撮影装置１やコンソール５８等から放射線発生装置５７に送信するＬＡＮ（Local Area Network）通信用の信号等を放射線発生装置５７用の信号等に変換し、また、その逆の変換等も行う図示しない変換器が内蔵されている。
【００４８】
また、本実施形態では、中継器５４には、クレードル５５が接続されている。図６に示すように、撮影室Ｒａに持ち込まれた放射線画像撮影装置１がクレードル５５に挿入されて、放射線画像撮影装置１のコネクター３９とクレードル５５のコネクター５５ａとが接続されると、放射線画像撮影装置１からカセッテＩＤが、クレードル５５を介して中継器５４に通知されるようになっている。そして、中継器５４は、クレードル５５から放射線画像撮影装置１のカセッテＩＤが送信されてくると、カセッテＩＤをコンソール５８に通知するようになっている。
【００４９】
なお、クレードル５５で放射線画像撮影装置１を保管したり充電するように構成することも可能である。また、図６では、放射線画像撮影装置１を挿入する挿入口が２個設けられたクレードル５５が示されているが、挿入口は１個でもよく、或いは３個以上設けられていてもよい。さらに、クレードル５５は撮影室Ｒａと前室Ｒｂのいずれに設置されてもよく、撮影室Ｒａに設置される場合には、放射線発生装置５２から照射される放射線が到達しない位置、すなわち、例えば撮影室Ｒａのコーナーの位置等に設置される。
【００５０】
また、撮影室Ｒａや前室Ｒｂに持ち込まれた放射線画像撮影装置１を検知してコンソール５８にカセッテＩＤを通知する検知手段として、本実施形態のようにクレードル５５を用いる代わりに、図示を省略するが、例えば前室Ｒｂ（図１参照）の扉付近にタグリーダーを設けるように構成することも可能である。そして、この場合は、放射線画像撮影装置１内に予めＲＦＩＤ（Radio Frequency IDentification）タグ等の図示しないタグを内蔵させておき、タグに放射線画像撮影装置１のカセッテＩＤ等の固有情報を記憶させておく。そして、放射線画像撮影装置１がタグリーダーの近傍を通過して撮影室Ｒａや前室Ｒｂに持ち込まれる際に、タグリーダーで放射線画像撮影装置１のタグからカセッテＩＤ等の情報を読み取り、そのカセッテＩＤをコンソール５８に通知するように構成することも可能である。
【００５１】
図１に示すように、前室（操作室等ともいう。）Ｒｂには、放射線源５２に対して放射線の照射開始等を指示するための曝射スイッチ５６等を備えた放射線発生装置５７が設けられている。放射線発生装置５７は、管電圧や管電流、照射時間等が設定されると、放射線源５２に設定された管電圧や管電流を供給して起動させ、放射線源５２から設定された照射時間だけ管電圧等に応じた線量の放射線を照射させるようになっている。なお、放射線発生装置への管電圧等の設定は、放射線発生装置の操作卓５７上でも行うことができるが、本実施形態では、コンソール５８上でも行うことができるようになっている。
【００５２】
コンソール５８は、本実施形態では前室Ｒｂに設けられており、図示しないＣＰＵ（Central Processing Unit）やＲＯＭ（Read Only Memory）、ＲＡＭ（Random Access Memory）、入出力インターフェース等がバスに接続されたコンピューター等で構成されている。ＲＯＭには所定のプログラムが格納されており、コンソール５８は、必要なプログラムを読み出してＲＡＭの作業領域に展開してプログラムに従って各種処理を実行するようになっている。なお、コンソール５８を汎用のコンピューターで構成せず、例えば専用の装置で構成することも可能である。
【００５３】
コンソール５８には、ＣＲＴ（Cathode Ray Tube）やＬＣＤ（Liquid Crystal Display）等からなる表示部５８ａが設けられており、その他、キーボードやマウス等の図示しない入力手段等が接続されている。また、コンソール５８には、ハードディスク等で構成された記憶手段５９が接続されており、その他、図示を省略するが、他のコンピューターや、コンソール５８から出力された画像データＤに基づいて放射線画像をフィルムなどの画像記録媒体に記録して出力するイメージャ等の外部機器がＬＡＮ（Local Area Network）等を介して接続されている。そして、さらに後述するＨＩＳ（Hospital Information System；病院情報システム）やＲＩＳ（Radiology Information System；放射線科情報システム）がネットワークを介して接続されている。
【００５４】
［コンソール５８における一般的な処理について］
次に、本実施形態に係るコンソール５８における一般的な処理について説明する。コンソール５８における本発明に特有な処理については、後で説明する。
【００５５】
本実施形態では、コンソール５８は、前述したように、撮影室Ｒａに持ち込まれた放射線画像撮影装置１がクレードル５５に挿入される等して放射線画像撮影装置１のカセッテＩＤ等が中継器５４を介して送信されてくると、そのカセッテＩＤ等を記憶手段５９に保存して、そのカセッテＩＤを有する放射線画像撮影装置１が撮影室Ｒａ或いは前室Ｒｂ内に持ち込まれたことを認識して管理するようになっている。
【００５６】
また、コンソール５８は、前述したように、放射線画像撮影装置１がコネクター５１ｂと接続されたブッキー装置５１から、放射線画像撮影装置１のカセッテＩＤとブッキーＩＤとが送信されてくると、記憶手段５９に保存されている当該カセッテＩＤに、ブッキーＩＤを対応付けて保存する。コンソール５８は、このようにして、そのカセッテＩＤを有する放射線画像撮影装置１が、撮影室Ｒａ内の、当該ブッキーＩＤを有するブッキー装置５１に装填されたことを認識して管理するようになっている。なお、放射線画像撮影装置１とブッキー装置５１のコネクター５１ｂとの接続が解除された場合には、記憶手段５９に保存されている当該放射線画像撮影装置１のカセッテＩＤとブッキーＩＤとの対応付けを解除して、カセッテＩＤのみを保存する。コンソール５８は、このようにして、そのカセッテＩＤを有する放射線画像撮影装置１がブッキー装置５１には装填されていない単独の状態になっていることを認識して管理するようになっている。
【００５７】
さらに、本実施形態では、放射線画像撮影装置１の電源スイッチ３７がオンされたりオフされたりする際、放射線画像撮影装置１からコンソール５８に電源がオンされたことを表すオン信号やオフされたことを表すオフ信号が当該放射線画像撮影装置１のカセッテＩＤとともに送信されるようになっている。そして、コンソール５８は、上記の信号とカセッテＩＤとが送信されてくると、記憶手段５９に保存されている当該カセッテＩＤに、当該放射線画像撮影装置１の電源の状態（すなわち「ＯＮ」または「ＯＦＦ」）の情報を対応付けて保存する。コンソール５８は、このようにして、そのカセッテＩＤを有する放射線画像撮影装置１の電源がオンかオフかを認識して管理するようになっている。
【００５８】
本実施形態では、コンソール５８は、上記のようにして、撮影室Ｒａや前室Ｒｂに持ち込まれた放射線画像撮影装置１を認識して管理したり、ブッキー装置５１に装填されて用いられる場合には、どの放射線画像撮影装置１がどのブッキー装置５１に装填されているかを認識して管理したり、各放射線画像撮影装置１の電力消費モードを認識して管理するようになっている。なお、前述したように、放射線画像撮影システム５０が、複数の撮影室Ｒａと単数または複数のコンソール５８とがネットワーク等を介して接続されて構成されているような場合には、上記の管理処理をコンソール５８で行う代わりに、ネットワークに接続されたサーバー等の図示しない管理装置等で管理するように構成することも可能である。
【００５９】
また、前述したように、コンソール５８には、図示しないＨＩＳやＲＩＳがネットワークを介して接続されており、ＨＩＳには患者の情報等が登録され、ＲＩＳには予め個々の患者に対して所定の放射線画像撮影を行うために必要な情報が設定された撮影オーダー情報等が登録されるようになっている。
【００６０】
撮影オーダー情報は、例えば図７に例示するように、患者情報としての「患者ＩＤ」Ｐ２、患者の「氏名」Ｐ３、「性別」Ｐ４、「年齢」Ｐ５、「診療科」Ｐ６等、および撮影条件としての「撮影部位」Ｐ７、「撮影方向」Ｐ８等で構成される。また、本実施形態では、さらに放射線画像撮影装置１をブッキー装置５１に装填した状態で撮影を行うか否かの情報として「ブッキーＩＤ」Ｐ９の項目が設けられており、ブッキー装置５１に装填する場合にはそのブッキーＩＤを指定するようになっている。
【００６１】
図７に示した例では、ブッキーＩＤ「００１」、「００２」はそれぞれ立位撮影用のブッキー装置５１Ａおよび臥位撮影用のブッキー装置５１Ｂを表しており、ブッキーＩＤ「０００」は、放射線画像撮影装置１をブッキー装置５１に装填せずに単独の状態で用いることを表している。なお、「ブッキーＩＤ」Ｐ９の欄に、上記のブッキーＩＤの代わりに、或いはそれとともに、例えば、立位撮影用ブッキー装置や臥位撮影用ブッキー装置、単独の状態の放射線画像撮影装置等を表す図柄を記載して指定するように構成することも可能である。
【００６２】
撮影オーダー情報には、さらに、その撮影で使用する放射線画像撮影装置（ＦＰＤ）１のサイズを指定する「ＦＰＤサイズ」Ｐ１０の項目が設けられており、１７×１７インチや１４×１７インチ（半切）、１４×１４インチ（大角）、１１×１４インチ（大四切）、１０×１２インチ（四切）等のサイズを指定することができるようになっている。なお、本実施形態では、この「ＦＰＤサイズ」Ｐ１０すなわち放射線画像撮影装置１のサイズが、撮影オーダー情報における放射線画像撮影装置に関する情報ということになり、撮影オーダー情報に当該情報を記載して指定することが、撮影オーダー情報における放射線画像撮影装置に関する情報の指定ということになる。
【００６３】
また、「ＦＰＤサイズ」Ｐ１０の欄に、上記のインチサイズの代わりに、或いはそれとともに、図示を省略するが、各サイズに予め割り当てておいた色（例えば赤や黄、青等）やパターン（例えばストライプ模様や水玉模様等）等を記載して指定するように構成することも可能である。そして、その場合、例えば、放射線画像撮影装置１の放射線入射面Ｒ（図２や図３参照）とは反対側の面等に同様にサイズごとに異なる色やパターンを表示するように構成すれば、放射線技師等の操作者が、その色やパターンを見て放射線画像撮影装置１のサイズを容易かつ的確に認識することが可能となるといったメリットがある。
【００６４】
なお、上記の放射線画像撮影装置１のサイズのほか、例えば前述したシンチレーター種（例えばＣｓＩの柱状結晶型やＧＯＳの層状型等）も色やパターンで区別して表示するように構成することも可能である。すなわち、例えば色でサイズを表し、パターンでシンチレーター種を表す等して、サイズやシンチレーター種を区別して表示するように構成することも可能である。
【００６５】
また、本実施形態では、図７に示すように、撮影オーダー情報には、撮影オーダーが登録された順に「撮影オーダーＩＤ」Ｐ１が自動的に割り当てられるようになっている。なお、撮影オーダー情報で指定する患者情報や撮影条件等の内容は、上記のものに限定されず、例えば、患者の生年月日、診察回数、放射線の線量、太っているか痩せているか等の情報を含むように構成することも可能である。
【００６６】
一方、本実施形態では、コンソール５８は、放射線技師等の操作者による操作があった場合に、ＲＩＳやＨＩＳから必要な撮影オーダー情報や患者情報等を入手するようになっている。なお、撮影オーダー情報をＲＩＳから入手する代わりに、例えば専用端末等を用いて、コンソール５８に撮影オーダー情報を直接入力して登録するように構成することも可能である。この場合、撮影時に撮影オーダー情報を登録するように構成することも可能であり、また、予め撮影オーダー情報を登録しておいた場合には、コンソール５８は、記憶手段５９に登録されている撮影オーダー情報から必要な撮影オーダー情報等を入手するように構成される。
【００６７】
そして、コンソール５８は、撮影オーダー情報を入手すると（直接入力される場合を含む。）、図８に示すように、その表示部５８ａ（図１参照）に表示された選択画面Ｈ１上に、撮影オーダー情報の一覧を表示するようになっている。本実施形態では、選択画面Ｈ１には、各撮影オーダー情報の一覧を表示するための撮影オーダー情報表示欄ｈ１１が設けられており、撮影オーダー情報表示欄ｈ１１の左側には、撮影する予定の撮影オーダー情報を選択するための選択ボタンｈ１２が各撮影オーダー情報に対応して設けられている。また、撮影オーダー情報表示欄ｈ１１の下側には、決定ボタンｈ１３及び戻るボタンｈ１４が設けられている。
【００６８】
そして、例えば、放射線技師等の操作者が選択ボタンｈ１２をクリックして、例えば４つの撮影オーダー情報を全て選択して、決定ボタンｈ１３をクリックすると、コンソール５８は、表示部５８ａ上に、図９に示すような画面Ｈ２を表示し、前述したように、画面Ｈ２上に、選択された４つの撮影オーダー情報に対応するアイコンＩ１〜Ｉ４を表示するようになっている。
【００６９】
本実施形態では、各アイコンＩ上には、対応する撮影オーダー情報の「撮影オーダーＩＤ」Ｐ１（図７や図８参照）が「ＫＭ−０００１」等の形で表示され、また、対応する撮影オーダー情報の「撮影部位」Ｐ７や「撮影方向」Ｐ８が「腹部正面Ｐ→Ａ」等の形で表示されるようになっている。また、各アイコンＩの表示部分Ｉａには、各アイコンＩに対応する撮影オーダー情報に指定された「ブッキーＩＤ」Ｐ９（すなわち撮影に使用されるブッキー装置５１）に応じて、例えば、立位撮影用のブッキー装置５１Ａを使用する場合（ブッキーＩＤは「００１」）には縦長の四角が、臥位撮影用のブッキー装置５１Ｂを使用する場合（ブッキーＩＤは「００２」）には横長の四角が、また、放射線画像撮影装置１を単独の状態で使用する場合（ブッキーＩＤは「０００」）には放射線画像撮影装置１の斜視図状の図形がそれぞれ表示されるようになっている。
【００７０】
また、各アイコンＩの表示部分Ｉｂには、対応する撮影オーダー情報に指定された「ＦＰＤサイズ」Ｐ１０や、各ブッキー装置５１に装填されている放射線画像撮影装置１や単独の状態の放射線画像撮影装置１のカセッテＩＤ（「ＦＰＤ−００３」等）およびその放射線画像撮影装置１の解像度等が表示されるようになっている。なお、カセッテＩＤや解像度等の表示を、上記のような文字による表示に替えて、或いは文字による表示と併用して、前述した色やパターンを表示したり、或いは音声等の音を用いて報知するように構成することも可能である。このように構成すれば、使用すべき放射線画像撮影装置のサイズ等を放射線技師等の操作者が一瞥して把握することが可能となる。
【００７１】
一方、コンソール５８は、次に行う撮影がどのアイコンＩに対応する撮影であるかを放射線技師等の操作者に明示するために、本実施形態では、当該次に行う撮影に関する撮影オーダー情報に対応するアイコンＩを他のアイコンＩとは異なる色で表示したり、或いは図９に示すように当該アイコンＩを所定の色の枠線で囲って目立つように表示する等して、当該アイコンＩ（図９の場合はアイコンＩ３）をフォーカス表示するようになっている。すなわち、本実施形態では、フォーカス表示されているアイコンＩに対応する撮影オーダー情報が、コンソール５８により、次に行われる撮影に関する情報として特定されている撮影オーダー情報ということになる。
【００７２】
コンソール５８がアイコンＩのフォーカス表示を行う場合、例えば、撮影が終了するごとに「撮影オーダーＩＤ」Ｐ１（図７や図８参照）が小さい方から順番に（すなわち撮影オーダー情報の登録順に）アイコンＩのフォーカス表示を遷移させていき、放射線技師等の操作者に次に行う撮影がどの撮影であるかをアイコンＩのフォーカス表示によって示すように構成することも可能である。
【００７３】
また、例えば、前述した特許文献１に記載された放射線画像撮影システムのように、コンソール５８が、撮影室Ｒａ内に存在する専用機型や可搬型の放射線画像撮影装置１や放射線発生装置５７の放射線源５２等の現在の状況（すなわちどの放射線画像撮影装置１の電源がオンされており、放射線源５２の向きがどの方向を向いているか等の状況）に基づいて、その現状からの変更の程度が最も少ない状態で撮影を行うことができる撮影条件が指定された撮影オーダー情報を選び出し、その撮影オーダー情報に対応するアイコンＩにフォーカス表示を遷移させるように構成することも可能である。なお、前述したように、この点については詳しくは特許文献１を参照されたい。
【００７４】
また、本実施形態では、前述した特許文献１に記載の放射線画像撮影システムの場合と同様に、放射線技師等の操作者が、コンソール５８が上記のようにして自動的にフォーカス表示したアイコンＩに対応する撮影以外の撮影を行おうとしている場合には、操作者の意思を優先して、操作者が行おうとしている撮影に対応するアイコンＩにフォーカス表示を遷移させるようになっている。なお、このように構成すると、前述したような問題が生じ得るが、その点については後で説明する。
【００７５】
そして、あるアイコンＩがフォーカス表示された状態で撮影が行われた後、例えば、前述したように、放射線画像撮影装置１から画像データＤ等を送信する前にプレビュー画像用データＤｐをコンソール５８に送信するように構成されている場合には、図示を省略するが、コンソール５８は、送信されてきたプレビュー用データＤｐに基づいてプレビュー画像を生成して、フォーカス表示されているアイコンＩ上或いはその近傍、或いは所定の表示部分に、生成したプレビュー画像を表示する。
【００７６】
また、前述したように、撮影後、放射線画像撮影装置１から画像データＤやオフセットデータＯ等が送信されてくると、コンソール５８は、それらに基づいてゲイン補正や欠陥画素補正、撮影部位に応じた階調処理等の画像処理を行って放射線画像を生成するようになっている。なお、放射線画像の生成処理を、コンソール５８とは別体の画像処理装置等で行うように構成することも可能である。
【００７７】
そして、コンソール５８は、放射線画像を生成すると、図示を省略するが、フォーカス表示されているアイコンＩ上或いはその近傍、或いは所定の表示部分に、生成した放射線画像を表示する。そして、それを見た放射線技師等の操作者が放射線画像を承認し、確定ボタンアイコンＩｋ（図９参照）をクリックする等して確定操作を行うと、コンソール５８は、放射線画像をそれに対応する撮影オーダー情報に対応付けて確定処理を行うようになっている。なお、図９では図示を省略したが、確定操作の前に、コンソール５８が生成した放射線画像の画質（コントラスト等）の修正等を、操作者がコンソール５８の表示部５８ａ上の操作で行うことができるように構成することも可能である。
【００７８】
なお、放射線技師等の操作者が表示されたプレビュー画像を確認（確認ボタンをクリックするような積極的な確認だけでなく再撮影ボタンをクリックしない等の非承認の意思表示がなされない場合を含む。）した時点や、コンソール５８が生成した放射線画像の確定操作が終了した時点で、アイコンＩのフォーカス表示を、次の撮影に関する撮影オーダー情報に対応するアイコンＩに遷移させるように構成することが可能である。また、このようなプレビュー画像の確認や確定操作が終わった時点で次の撮影オーダー情報にフォーカス表示を遷移する方式の代わりに、プレビュー画像の表示部分と放射線画像の確定に関する表示部分とでフォーカス表示を別々に遷移させる方式（例えば特開２０１０−１４８７２０号公報参照）にも、本発明を適用することが可能である。
【００７９】
［本発明に特有の構成等について］
次に、本実施形態の放射線画像撮影システム５０における本発明に特有の構成等について説明する。また、本実施形態に係る放射線画像撮影システム５０の作用についてもあわせて説明する。
【００８０】
上記のように、本実施形態に係る放射線画像撮影システム５０においても、前述した特許文献１に記載された放射線画像撮影システムと同様に、放射線技師等の操作者が、コンソール５８が自動的にフォーカス表示したアイコンＩに対応する撮影以外の撮影を行おうとしている場合には、操作者の意思を優先して、操作者が行おうとしている撮影に対応するアイコンＩにフォーカス表示を遷移させるように構成されているが、このように構成すると、前述したような問題が生じ得る。
【００８１】
すなわち、例えば図９に示した状態で、例えば放射線技師等の操作者がアイコンＩ３に対応する撮影を行うために撮影室内で１０×１２インチの放射線画像撮影装置の電源スイッチ３７や選択スイッチ３８を押下すると、コンソール５８は、操作者が１０×１２インチの放射線画像撮影装置を用いるアイコンＩ４に対応する撮影を行おうとしていると判断して、フォーカス表示をアイコンＩ４に遷移させてしまう。しかし、操作者は１０×１２インチの放射線画像撮影装置を用いて患者の「脛部」を撮影してしまい、コンソール５８は、送信されてきた画像データＤ等に基づいて生成した「脛部」の放射線画像を、アイコンＩ４に対応する「上腕部」の撮影を指定する撮影オーダー情報に対応付けてしまうという問題が生じ得る。
【００８２】
このように、本実施形態に係る放射線画像撮影システム５０においても、上記の構成のままでは、上記のように、コンソール５８上で放射線技師等の操作者が意図しないアイコンＩのフォーカス表示の遷移が生じてしまい、生成された放射線画像と撮影オーダー情報とが誤って対応付けられてしまう問題が生じる可能性がある。そこで、本実施形態に係る放射線画像撮影システム５０では、例えば、以下の構成を採用することで、上記の問題が生じることを防止するようになっている。以下では、このような構成のいくつかを例示して説明する。
【００８３】
［構成例１］
構成例１では、例えば、ユーザーである放射線技師等の操作者が放射線画像撮影装置１に対して少なくとも第１の操作と第２の操作とを行うことができるように構成し、放射線画像撮影装置１は、第１の操作があった場合にはコンソール５８に第１信号を送信し、第２の操作があった場合にはコンソール５８に、第１信号とは異なる第２信号を送信するように構成する。
【００８４】
操作者の放射線画像撮影装置１に対する操作としては、例えば放射線画像撮影装置１の選択スイッチ３８に対する操作として構成することが可能であり、例えば、第１の操作として、操作者が選択スイッチ３８を短い時間だけ押下（すなわちいわゆる短押し）し、第２の操作として、操作者が選択スイッチ３８をより長い時間押下（すなわちいわゆる長押し）するように構成することが可能である。
【００８５】
なお、以下では、このように構成されている場合について説明するが、この他にも、例えば、第１の操作として操作者が選択スイッチ３８を１回だけ押下し、第２の操作として操作者が選択スイッチ３８を複数回（例えば２回）押下するように構成することが可能であり、放射線画像撮影装置１に異なる操作であることが認識される操作であれば、短押し、長押しの場合に限定されない。また、図２に示したように、本実施形態では、放射線画像撮影装置１に選択スイッチ３８が１つしか設けられていないため、上記のように、１つの選択スイッチ３８に対する操作の仕方を変えることで第１、第２の操作を区別するように構成したが、例えば、選択スイッチを２つ設けておき、押下する選択スイッチを変えることで第１の操作と第２の操作とを区別するように構成することも可能である。さらに、操作者の放射線画像撮影装置１に対する第１の操作と第２の操作を区別することができるものであれば、選択スイッチ３８に対する操作にも限定されない。
【００８６】
そして、構成例１では、例えば図９に示した状態で、放射線技師等の操作者が１０×１２インチの放射線画像撮影装置１の選択スイッチ３８を短押しして第１の操作を行い、当該放射線画像撮影装置１から送信された第１信号を受信すると、コンソール５８は、次に行われる撮影としてフォーカス表示して特定しているアイコンＩ３に対応する撮影オーダー情報における放射線画像撮影装置に関する情報である「ＦＰＤサイズ」Ｐ１０の指定を、図１０に示すように、当該放射線画像撮影装置１に関する情報であるサイズ「１０×１２」に変更する。また、図１１に示すように、フォーカス表示しているアイコンＩ３内のサイズに関する表示も「１０×１２」に変更する。なお、この場合、アイコンＩ３のフォーカス表示は、アイコンＩ４に遷移させない。
【００８７】
すなわち、放射線画像撮影装置１に対する第１の操作やそれに基づいて送信される第１信号は、放射線技師等の操作者が、コンソール５８に対して、アイコンＩのフォーカス表示を遷移させずに、フォーカス表示しているアイコンＩに対応する撮影オーダー情報の放射線画像撮影装置に関する情報（サイズ）の指定を、操作者が選択スイッチ３８を操作した当該放射線画像撮影装置１に関する情報（サイズ）に変更することを要求するための操作や信号ということになる。
【００８８】
別の言い方をすれば、放射線技師等の操作者は、アイコンＩのフォーカス表示を遷移させず、すなわち次に行う撮影を別の撮影に変更せずに、撮影オーダー情報における放射線画像撮影装置に関する情報（サイズ）の指定を変更したい場合に、放射線画像撮影装置１に対して第１の操作を行う。そして、コンソール５８は、その第１の操作に応じて、次に行われる撮影としてフォーカス表示して特定しているアイコンＩに対応する撮影オーダー情報における放射線画像撮影装置に関する情報（サイズ）の指定を当該放射線画像撮影装置１に関する情報（サイズ）に変更する。
【００８９】
［効果］
本実施形態に係る放射線画像撮影システム５０によれば、上記のように構成することで、放射線技師等の操作者は、放射線画像撮影装置１に対して第１の操作を行うことによりアイコンＩのフォーカス表示を遷移させずに、それに対応する撮影オーダー情報の放射線画像撮影装置１に関する情報の指定を、第１の操作を行った当該放射線画像撮影装置１に関する情報に的確に変更することが可能となる。そのため、コンソール５８上で操作者が意図しないアイコンＩのフォーカス表示の遷移が生じることを的確に防止することが可能となる。
【００９０】
そして、放射線技師等の操作者が変更後の放射線画像撮影装置１を用いて例えば患者の「脛部」の撮影を行うと、放射線画像撮影装置１からコンソール５８に「脛部」の画像データＤ等が送信され、コンソール５８で「脛部」の放射線画像が生成される。そして、「脛部」の放射線画像が、アイコンＩ３に対応する「脛部」を撮影することが指定された撮影オーダー情報に的確に対応付けられるようになる。そのため、上記のように構成することで、生成された放射線画像と撮影オーダー情報とを正しく対応付けることが可能となる。
【００９１】
［構成例２］
なお、上記の構成例１の変形例として、例えば、上記のように、フォーカス表示されているアイコンＩ（図１１の例ではアイコンＩ３）に対応する撮影オーダー情報における放射線画像撮影装置に関する情報（サイズ）の指定を、第１の操作を行った当該放射線画像撮影装置１に関する情報に変更するが、それと同時に、撮影未了の撮影オーダー情報の中に、上記のように変更される前の放射線画像撮影装置に関する情報が指定されている他の撮影オーダー情報がある場合には、それらの撮影オーダー情報についても放射線画像撮影装置に関する情報の指定を当該放射線画像撮影装置１に関する情報に変更するように構成することが可能である。
【００９２】
具体的には、例えば図１２に示すように、アイコンＩ３、Ｉ４に対応する各撮影オーダー情報で、放射線画像撮影装置に関する情報（サイズ）としていずれも「１１×１４」が指定されているような場合、放射線技師等の操作者が、例えば１０×１２インチの放射線画像撮影装置１に対して第１の操作を行うと、上記のように、アイコンＩ３に対応する撮影オーダー情報における放射線画像撮影装置に関する情報（サイズ）が、当該放射線画像撮影装置１に関する情報（サイズ）に変更される。
【００９３】
そして、上記のように、放射線技師等の操作者が、アイコンＩ３に対応する撮影を、１１×１４インチの放射線画像撮影装置１に替えて１０×１２インチの放射線画像撮影装置１を用いて行う場合、１１×１４インチの放射線画像撮影装置１を用いることが指定されている他の撮影についても、同様に、１１×１４インチの放射線画像撮影装置１を１０×１２インチの放射線画像撮影装置１に替えて撮影が行われる可能性がある。
【００９４】
そこで、放射線技師等の操作者が放射線画像撮影装置１に対して第１の操作を行って撮影に使用する放射線画像撮影装置１のサイズを変更した場合、撮影未了の撮影オーダー情報の中に、上記のように変更される前のサイズが指定されている他の撮影オーダー情報がある場合には、それらの撮影オーダー情報についても一斉にサイズを変更するように構成することが可能である。この場合、例えば図１２に示した状態で、操作者が放射線画像撮影装置１に対して第１の操作を行って放射線画像撮影装置１のサイズを例えば１０×１２インチに変更すると、例えば図１１に示したように、アイコンＩ３だけでなくアイコンＩ４の撮影で使用される放射線画像撮影装置１のサイズも１０×１２インチに変更される。
【００９５】
このように構成すれば、ユーザーである操作者の意図に沿って、使用される放射線画像撮影装置１のサイズ（正確には放射線画像撮影装置に関する情報）を自動的に一斉に変更することが可能となる。そのため、放射線画像撮影システム５０が、操作者にとって使い勝手がよいものとなる。
【００９６】
なお、図１１や図１２では、アイコンＩ３の撮影の他にアイコンＩ４の撮影のみで放射線画像撮影装置１のサイズが変更される場合を示したが、上記のように構成する場合、例えば１１×１４インチの放射線画像撮影装置１を用いることが指定されていた撮影については全て一斉に１０×１２インチの放射線画像撮影装置１を用いるように変更される。
【００９７】
［構成例３］
しかし、放射線技師等の操作者が放射線画像撮影装置１に対して第１の操作を行って撮影に使用する放射線画像撮影装置１のサイズを変更したからといって、それが、必ずしも撮影未了の他の撮影オーダー情報の中の同じサイズの指定を全て変更後のサイズに変更することを意図するものではない可能性もある。
【００９８】
そこで、コンソール５８は、操作者の放射線画像撮影装置１に対する第１の操作に従って、フォーカス表示されているアイコンＩ（図１１の例ではアイコンＩ３）に対応する撮影オーダー情報における放射線画像撮影装置に関する情報（サイズ）の指定を、第１の操作を行った当該放射線画像撮影装置１に関する情報に変更する。そして、同時に、撮影未了の撮影オーダー情報の中に、変更前の放射線画像撮影装置に関する情報（サイズ）が指定されている他の撮影オーダー情報が存在する場合には、このような他の撮影オーダー情報が存在することを、音声を発したり表示部５８ａ上にその旨を表示する等して操作者に報知するように構成することが可能である。
【００９９】
なお、この場合は、コンソール５８が報知手段ということになるが、コンソール５８以外に、例えば撮影室Ｒａ内に報知手段としてスピーカーや画面を設ける等して、撮影室Ｒａ内の操作者に報知するように構成することも可能である。また、放射線画像撮影装置１のインジケーター４０（図２参照）を所定の仕方で点灯、点滅されたり、放射線画像撮影装置１に表示部を設けたり、スピーカーを設ける等して、放射線画像撮影装置１を報知手段として放射線画像撮影装置１が上記の内容を報知するように構成することも可能である。
【０１００】
そして、コンソール５８は、報知後に、ユーザーである放射線技師等の操作者により放射線画像撮影装置１に対して第１の操作が再度行われるなど操作者により所定の操作が行われた場合（すなわち操作者の承認があった場合）、或いは、報知後に、操作者により所定時間内に所定の取り消し操作が行われなかった場合に、他の撮影オーダー情報についても、放射線画像撮影装置に関する情報（サイズ）の指定を上記の放射線画像撮影装置１に関する情報（サイズ）に変更するように構成される。
【０１０１】
また、コンソール５８は、操作者により所定の取り消し操作が行われた場合には、他の撮影オーダー情報については放射線画像撮影装置に関する情報（サイズ）の指定の変更を行わず、フォーカス表示しているアイコンＩ（図１１の例ではアイコンＩ３）に対応する撮影オーダー情報のみについて放射線画像撮影装置に関する情報（サイズ）の指定を第１の操作が行われた放射線画像撮影装置１に関する情報に変更する。
【０１０２】
このように構成すれば、より的確にユーザーである操作者の意図に沿って、使用される放射線画像撮影装置１に関する情報（サイズ）を自動的に一斉に変更したり、或いは変更が不要の場合には変更しないようにすることが可能となる。そのため、放射線画像撮影システム５０が、操作者にとって使い勝手がよいものとなる。
【０１０３】
［構成例４］
なお、上記の構成例３における報知手段として、ユーザーである放射線技師等の操作者に図示しない携帯端末を携帯させ、この携帯端末上に表示したり音声を発したりすることで、上記の報知を行うように構成することも可能である。
【０１０４】
そして、この場合、携帯端末は、報知により同じサイズの放射線画像撮影装置１を指定する他の撮影オーダー情報が存在することを認識した操作者により所定の操作があった場合（すなわち操作者の承認があった場合）は、コンソール５８に所定の操作が行われた旨の信号を送信する。また、携帯端末は、同じサイズの放射線画像撮影装置１を指定する他の撮影オーダー情報についてはサイズを変更しないと判断した操作者により所定の取り消し操作があった場合は、コンソール５８に所定の取り消し操作が行われた旨の信号を送信するように構成する。
【０１０５】
そして、コンソール５８は、携帯端末から所定の操作が行われた旨の信号を受信した場合には、操作者により所定の操作が行われたと判断して、他の撮影オーダー情報について放射線画像撮影装置に関する情報（サイズ）の指定を、放射線技師等の操作者により第１の操作が行われた上記の放射線画像撮影装置１に関する情報（サイズ）に変更する。また、コンソール５８は、携帯端末から所定時間内に所定の取り消し操作が行われた旨の信号を受信した場合には、操作者により所定時間内に所定の取り消し操作が行われたと判断して、他の撮影オーダー情報については放射線画像撮影装置に関する情報（サイズ）の指定の変更を行わず、フォーカス表示しているアイコンＩに対応する撮影オーダー情報のみについて放射線画像撮影装置に関する情報（サイズ）の指定を第１の操作が行われた放射線画像撮影装置１に関する情報に変更する。
【０１０６】
このように構成することで、上記の構成例３の場合と同様に、より的確にユーザーである操作者の意図に沿って、使用される放射線画像撮影装置１に関する情報（サイズ）を自動的に一斉に変更したり、或いは変更が不要の場合には変更しないようにすることが可能となり、放射線画像撮影システム５０が、操作者にとって使い勝手がよいものとなる。
【０１０７】
［構成例５］
一方、放射線技師等の操作者により放射線画像撮影装置１に対して第１の操作とは異なる第２の操作が行われた場合は、例えば、コンソール５８は、上記の構成例１〜４とは異なり、アイコンＩのフォーカス表示を遷移させるように構成することが可能である。
【０１０８】
具体的には、放射線画像撮影装置１は、ユーザーである放射線技師等の操作者により上記の第１の操作とは異なる仕方の第２の操作があった場合には、上記の第１信号とは異なる第２信号をコンソール５８に送信し、コンソール５８は、当該放射線画像撮影装置１から第２信号を受信すると、次に行われる撮影として特定している撮影オーダー情報を、撮影未了の撮影オーダー情報のうち当該放射線画像撮影装置１に関する情報（サイズ）が指定されている撮影オーダー情報に変更するように構成される。
【０１０９】
そのため、例えば図９に示した状態で、放射線技師等の操作者が１０×１２インチの放射線画像撮影装置１に対して第２の操作（例えば選択スイッチ３８の長押し）を行うと、コンソール５８は、次に行われる撮影として特定されているアイコンＩ３のフォーカス表示を、例えば図１３に示すように、１０×１２インチの放射線画像撮影装置１を用いて行われることを指定する撮影オーダー情報に対応するアイコンＩ４に遷移させることになる。
【０１１０】
このように構成することで、放射線技師等の操作者は、次に行われる撮影として特定している撮影オーダー情報を変更させたい場合（すなわちアイコンＩのフォーカス表示を遷移させたい場合）は、変更する先の撮影オーダー情報（すなわちフォーカス表示を遷移させる先のアイコンＩに対応する撮影オーダー情報）で指定されているサイズの放射線画像撮影装置１に対して第２の操作を行うことで、容易かつ的確に撮影オーダー情報を変更する（すなわちアイコンＩのフォーカス表示を遷移させる）ことが可能となる。そして、操作者は、前室Ｒｂ（図１参照）に移動し、コンソール５８を操作してフォーカス表示を遷移させなくても、撮影室Ｒａ内で放射線画像撮影装置１に対して第２の操作（例えば選択スイッチ３８の長押し）を行うだけでフォーカス表示を遷移させることが可能となるため、放射線画像撮影システム５０が、操作者にとって使い勝手がよいものとなる。
【０１１１】
［構成例６］
なお、上記の構成例５においても、例えば、放射線技師等の操作者は、放射線画像撮影装置１に対して第１の操作すなわち例えば選択スイッチ３８の短押しをしたつもりが、放射線画像撮影装置１では第２の操作すなわち例えば選択スイッチ３８の長押しがなされたものと判断されてしまい、意図しないフォーカス表示の遷移が生じてしまう可能性がある。
【０１１２】
そこで、構成例５においても、上記の構成例３の場合と同様に、コンソール５８は、放射線画像撮影装置１から第２信号を受信するとすぐにフォーカス表示を遷移させるのではなく、例えば、フォーカス表示を遷移すること（正確には次に行われる撮影として特定する撮影オーダー情報を撮影未了の撮影オーダー情報のうち当該放射線画像撮影装置１に関する情報が指定されている撮影オーダー情報に変更すること）を、音声を発したり表示部５８ａ上に表示したり、或いは撮影室Ｒａ内等に設けられた報知手段から報知したり、放射線画像撮影装置１自体を報知手段とする等して放射線技師等の操作者に報知するように構成することが可能である。
【０１１３】
そして、報知後に、ユーザーである放射線技師等の操作者により放射線画像撮影装置１に対して第２の操作が再度行われるなど操作者により所定の操作が行われた場合（すなわち操作者の承認があった場合）、或いは、報知後に、操作者により所定時間内に取り消し操作等の所定の操作が行われなかった場合に初めて、アイコンＩ（例えばアイコンＩ３）のフォーカス表示を他のアイコンＩ（例えばアイコンＩ４）に遷移させるように構成することが可能である。
【０１１４】
このように構成すれば、より的確にユーザーである操作者の意図に沿ってフォーカス表示を遷移させたり、或いは遷移を行わない場合にはフォーカス表示を遷移させないようにすることが可能となる。そのため、放射線画像撮影システム５０が、操作者にとって使い勝手がよいものとなる。
【０１１５】
［構成例７］
また、上記の構成例４と同様に、上記の構成例６においても、報知手段として、ユーザーである放射線技師等の操作者に図示しない携帯端末を携帯させ、この携帯端末上に表示したり音声を発したりすることで、上記の報知を行うように構成することも可能である。そして、携帯端末は、操作者により所定の操作があった場合は、コンソール５８に所定の操作が行われた旨の信号を送信し、操作者により所定の取り消し操作があった場合は、コンソール５８に所定の取り消し操作が行われた旨の信号を送信するように構成する。そして、コンソール５８は、携帯端末から所定の操作が行われた旨の信号を受信した場合には、操作者により所定の操作が行われたと判断し、或いは、携帯端末から所定時間内に所定の取り消し操作が行われた旨の信号を受信した場合には、操作者により所定時間内に所定の取り消し操作が行われたと判断するように構成する。
【０１１６】
そして、このように構成し、報知後に、放射線技師等の操作者により携帯端末に対して所定の操作が行われた場合（すなわち操作者の承認があった場合）や、報知後に、操作者により携帯端末に対して所定時間内に取り消し操作等の所定の操作が行われなかった場合に初めて、アイコンＩ（例えばアイコンＩ３）のフォーカス表示を他のアイコンＩ（例えばアイコンＩ４）に遷移させるように構成する。そのため、上記の構成例６の場合と同様に、より的確にユーザーである操作者の意図に沿ってフォーカス表示を遷移させたり、或いは遷移を行わない場合にはフォーカス表示を遷移させないようにすることが可能となり、放射線画像撮影システム５０が、操作者にとって使い勝手がよいものとなる。
【０１１７】
［構成例１〜７のまとめ］
以上の構成例１〜７は、それぞれ単独に構成することも可能であるが、それらを組み合わせるように構成することも可能である。そして、上記のように、アイコンＩのフォーカス表示を遷移させずに撮影オーダー情報における放射線画像撮影装置に関する情報（サイズ）の指定のみを変更する場合には、放射線技師等の操作者は放射線画像撮影装置１に対して第１の操作（例えば選択スイッチ３８の短押し）を行い（上記の構成例１〜４の場合）、アイコンＩのフォーカス表示を、操作者が操作した放射線画像撮影装置１のサイズを指定するアイコンＩに遷移させる場合には、操作者は放射線画像撮影装置１に対して第２の操作（例えば選択スイッチ３８の長押し）を行う（上記の構成例５〜７の場合）と予め決めておく。
【０１１８】
このように構成すれば、放射線技師等の操作者は、放射線画像撮影装置１に対して第１の操作や第２の操作を行うだけで、アイコンＩのフォーカス表示を遷移させずに撮影オーダー情報における放射線画像撮影装置に関する情報（サイズ）の指定のみを変更させたり、或いは、アイコンＩのフォーカス表示を遷移させたりすることが可能となる。
【０１１９】
そのため、コンソール５８上で放射線技師等の操作者が意図しないアイコンＩのフォーカス表示の遷移が生じることを的確に防止することが可能となるとともに、アイコンＩのフォーカス表示を遷移させたい場合には的確にフォーカス表示を遷移させることが可能となる。そのため、コンソール５８で、生成された放射線画像と撮影オーダー情報とを正しく対応付けることが可能となると同時に、放射線画像撮影システム５０が、操作者にとって使い勝手が非常によいものとなる。
【０１２０】
［変形例１］
なお、上記の構成例４や構成例７で説明した携帯端末にコンソール５８と同等の機能を持たせ、或いはコンソール５８の機能のうちの所定の機能を持たせて、携帯端末上で各種の処理を行うように構成することも可能である。
【０１２１】
［変形例２］
また、上記の［構成例１〜７のまとめ］では、放射線技師等の操作者が放射線画像撮影装置１に対して第１、第２の操作を行うことで、アイコンＩのフォーカス表示を遷移させたり遷移させなかったりさせたが、例えば、操作者が放射線画像撮影装置１の選択スイッチ３８を操作する等して操作を行った場合には、コンソール５８は、アイコンＩのフォーカス表示の遷移は行わず、フォーカス表示されているアイコンＩに対応する撮影オーダー情報における放射線画像撮影装置に関する情報（サイズ）の指定を変更する処理のみを行うように構成することも可能である。すなわち、この場合、例えば放射線画像撮影装置１の選択スイッチ３８が短押しされても長押しされても区別せず、放射線画像撮影装置１に対して操作が行われると、コンソール５８は上記の処理を行うように構成する。
【０１２２】
このように構成すれば、少なくともコンソール５８上で放射線技師等の操作者が意図しないアイコンＩのフォーカス表示の遷移が生じることは確実に防止される。そのため、コンソール５８で、生成された放射線画像と撮影オーダー情報とを正しく対応付けることが可能となる。
【０１２３】
また、このように、第１の操作と第２の操作を区別しない場合や携帯端末と併用する場合には、撮影を新たな放射線画像撮影装置を使用して行うという放射線技師等の操作者の意図を検知する手段としては、上記の放射線画像撮影装置１の選択スイッチ３８だけでなく、この他にも、例えば圧力センサー（特開２００９−１７２２４２号公報等参照）や加速度計（特開２００５−００３７５５号公報等参照）、近接センサー（特開２００２−１９１５８６号公報等参照）等を用いることも可能である。上記の手段を放射線画像撮影装置１の電源スイッチ３７とし、電源がオフされていた放射線画像撮影装置１の電源スイッチ３７がオンされたことをもって、当該放射線画像撮影装置１を使用する操作者の意図と見なすように構成することも可能である。
【０１２４】
なお、上記の実施形態においては、撮影オーダー情報における放射線画像撮影装置に関する情報が放射線画像撮影装置１のサイズであり、放射線画像撮影装置に関する情報の指定の変更として放射線画像撮影装置１のサイズを変更する場合について説明したが、この他にも、放射線画像撮影装置に関する情報の指定の変更として、例えば、高精細な画像を撮影するための解像度（すなわち画素サイズ）を変更したり照射線量低減のためのシンチレーター種を変更したり、或いは、サイズや解像度（画素サイズ）、シンチレーター種の組み合わせを変更する場合にも本発明を適用することが可能である。
【０１２５】
その際には、前述した実施形態と同様に、各アイコンＩの表示部分Ｉｂには、それぞれの放射線画像撮影装置１が有する仕様（サイズ、解像度、シンチレータ種等）に応じた、アイコンの色やパターン等を変化させて表示することで、放射線技師等の操作者が一瞥して各放射線画像撮影装置の仕様を把握することができるように構成することが好ましい。
【０１２６】
なお、本発明が上記の実施形態や各構成例、各変形例等に限定されず、本発明の趣旨を逸脱しない限り、適宜変更可能であることは言うまでもない。
【符号の説明】
【０１２７】
１  放射線画像撮影装置
７  放射線検出素子
５０  放射線画像撮影システム
５１  放射線源
５８  コンソール（報知手段）
Ｄ  画像データ
Ｐ１０  ＦＰＤサイズ（放射線画像撮影装置に関する情報）
【図１】
2015136512.tif 000003
【図２】
2015136512.tif 000004
【図３】
2015136512.tif 000005
【図４】
2015136512.tif 000006
【図５】
2015136512.tif 000007
【図６】
2015136512.tif 000008
【図７】
2015136512.tif 000009
【図８】
2015136512.tif 000010
【図９】
2015136512.tif 000011
【図１０】
2015136512.tif 000012
【図１１】
2015136512.tif 000013
【図１２】
2015136512.tif 000014
【図１３】
2015136512.tif 000015